(57)【要約】      （修正有）【課題】操作性に優れ、携帯していること自体が楽しいおしゃれ性に富み、かつ、安価な携帯用化粧鏡装置を提供する。【解決手段】手の平に納まるように寸法設定された板状基体２０と、この板状基体２０に開閉可能に積層される当該板状基体２０と略同一形状の板状蓋体４０とを備えてなる基本構成を有している。そして、板状基体２０には、板状蓋体４０との対向面に円形鏡体３０の鏡面３１が形成されているとともに、板状蓋体４０を板状基体２０の鏡面３１に対し回動しながらスライド状態で開閉させ得るスライド構造としての鳩目軸６０が備えられている。【選択図】図１
0003157220.tif 000002
【実用新案登録請求の範囲】
【請求項１】
手の平に納まるように寸法設定された板状基体と、この板状基体に開閉可能に積層される当該板状基体と略同一形状の板状蓋体とを備えてなる携帯用化粧鏡装置において、
前記板状基体には、前記板状蓋体との対向面に鏡面が形成され、
前記板状蓋体には、前記板状基体との対向面と反対側の外面側に各種の装飾片が付設され、
前記板状蓋体を前記板状基体の鏡面に対しスライド状態で開閉させ得るスライド構造が備えられていることを特徴とする携帯用化粧鏡装置。
【請求項２】
前記スライド構造は、積層された前記板状基体および前記板状蓋体に貫通されて両者を互いに相対回動可能に軸支する軸部材を備えて構成されていることを特徴とする請求項１記載の携帯用化粧鏡装置。
【請求項３】
前記鏡面は、前記板状基体の前記板状蓋体との対向面に凹設された鏡装着凹部に鏡体が嵌め込まれることによって形成されていることを特徴とする請求項１または２記載の携帯用化粧鏡装置。
【請求項４】
前記装飾片は、前記板状蓋体の外面側に凹設された所定形状の凹部に他の材料が埋め込まれることによって形成されていることを特徴とする請求項１乃至３のいずれかに記載の  携帯用化粧鏡装置。
【考案の詳細な説明】
【技術分野】
【０００１】
本考案は、操作性および意匠性に優れ、かつ、携帯していること自体が楽しいおしゃれ性に富んだ携帯用化粧鏡装置に関するものである。
【背景技術】
【０００２】
従来、コンパクトと通称される鏡付きの携帯用化粧鏡装置が周知である。この携帯用化粧鏡装置は、ファンデーション等の化粧料を装填するべき上面開口の凹部を備えた板状の装置基体と、この装置基体に蝶番部材を介して連結され前記凹部に対し開閉可能な蓋体とを備えた基本構成を有している。蓋体には、前記凹部と対向した面に鏡が装着されている。従って、携帯用化粧鏡装置の使用者は、化粧のために蓋体を装置基体に対し略直角に開いた状態で鏡に自身の顔を映しながら凹部に装填されている化粧料をパフ等でぬぐい取って顔面に塗布することができ便利である。
【０００３】
かかる携帯用化粧鏡装置については、近年改良されたものとして、例えば特許文献１および特許文献２に記載されているようなものを挙げることができる。特許文献１および特許文献２に記載されている携帯用化粧鏡装置は、蓋部材に鏡に替えてＬＣＤ（液晶表示装置）とＣＣＤ（撮像素子）カメラとが設けられている。因みに特許文献２のものはハーフミラーが採用され、ＬＣＤにハーフミラーが積層されている。
【０００４】
この特許文献１，２のものにあっては、装置基体を一方の手で把持し他方の手で蓋体を開放して当該蓋体を顔面に対向させることにより、ＣＣＤカメラが顔面を撮影し、この撮影結果がＬＣＤに映像としてディスプレイされる。従って、使用者は、当該ディスプレイを鏡像として認識することができる。因みに、特許文献２のものにあっては、ＣＣＤによる撮影が行われていないときは、使用者の顔面が鏡像としてハーフミラーに映される。
【先行技術文献】
【特許文献】
【０００５】
【特許文献１】特開２００１−２０４５４５号公報
【特許文献２】特開２００３−１５３７３９号公報
【考案の概要】
【考案が解決しようとする課題】
【０００６】
ところで、従来の携帯用化粧鏡装置にあっては、特許文献１および２のものも含め、蓋体が装置基体の当該蓋体に対する対向面に対し直交する方向に向けて蝶番部材回りに回動することで開閉するようになされているため（すなわち、前記対向面と同一平面上で回動するようにはなされていないため）、一方の手で装置基体を把持し、他方の手で蓋体を操作しなければ当該蓋体を円滑に開閉（特に開放）することができず（すなわち片手で蓋体の開閉操作を円滑に行うことができず）、操作性が劣るという問題点が存在した。
【０００７】
また、従来の携帯用化粧鏡装置にあっては、デザイン性について殆ど考慮されておらず、実用性のみが先行しているため、美を追究するための道具としての化粧用品でありながら、いわゆるおしゃれ性が乏しいという問題点を備えていた。
【０００８】
さらに、特に特許文献１および２に記載の携帯用化粧鏡装置は、ＣＣＤやＬＣＤさらにはこれらを機能させるマイクロコンピュータ等が採用されているため、特に携帯用化粧鏡装置を鏡像を見るための姿見として特化させた場合、高価過ぎるという問題点を有している。
【０００９】
本考案は、従来のかかる問題点を解消するためになされたものであって、操作性に優れ、携帯していること自体が楽しいおしゃれ性に富み、かつ、安価な携帯用化粧鏡装置を提供することを目的としている。
【課題を解決するための手段】
【００１０】
請求項１記載の考案（携帯用化粧鏡装置）は、手の平に納まるように寸法設定された板状基体と、この板状基体に開閉可能に積層される当該板状基体と略同一形状の板状蓋体とを備えてなる携帯用化粧鏡装置において、前記板状基体には、前記板状蓋体との対向面に鏡面が形成され、前記板状蓋体には、前記板状基体との対向面と反対側の外面側に各種の装飾片が付設され、前記板状蓋体を前記板状基体の鏡面に対しスライド状態で開閉させ得るスライド構造が備えられていることを特徴とするものである。
【００１１】
かかる構成によれば、携帯用化粧鏡装置は、板状蓋体を板状基体の鏡面に対しスライド状態で開閉させるスライド構造を有しているため、携帯用化粧鏡装置を片方の手の平に載せて把持した状態で、当該片方の手の指の操作で板状蓋体を正逆スライドさせ、これによって基体に設けられた鏡体の鏡面を開いたり閉じたりすることができる。
【００１２】
具体的には、閉止状態の携帯用化粧鏡装置を一方の手の平に載せた状態で、板状基体を人差し指〜小指の４本の指で押さえて手の平上に固定し、引き続き親指で板状蓋体をスライド操作することにより、他方の手を用いることなく板状基体の鏡面を容易に開放することができる。
【００１３】
一旦開放された板状蓋体を閉じるときには、開放された板状蓋体の先端縁部を人差し指〜小指で押圧すればよい。こうすることにより当該板状蓋体は板状基体の鏡面上を鏡面の方向に向けてスライドして閉じられる。
【００１４】
このように板状蓋体を同一平面上でスライド移動させることにより、板状基体の鏡面を開閉することができる。従って、従来のように板状蓋体を板状基体の対向面に直交する方向に向けて回動操作することで開閉させる場合には、片手での開閉操作が困難であり、図らず両手を使ってしまうことが多いが、本考案ではあえて両手を使う必要がないため、空いた方の手で他の動作を並行的に行うことができ、結果として携帯用化粧鏡装置を用いた化粧作業等の作業性が向上する。
【００１５】
請求項２記載の考案は、請求項１記載の考案において、前記スライド構造は、積層された前記板状基体および前記板状蓋体に貫通されて両者を互いに相対回動可能に軸支する軸部材を備えて構成されていることを特徴とするものである。
【００１６】
かかる構成によれば、片方の手による板状蓋体の容易な開閉操作を確保しつつ、スライド構造を極めて簡単で、かつ、安価なものにすることができる。
【００１７】
請求項３記載の考案は、請求項１または２記載の考案において、前記鏡面は、前記板状基体の前記板状蓋体との対向面に凹設された鏡装着凹部に鏡体が嵌め込まれることによって形成されていることを特徴とするものである。
【００１８】
かかる構成によれば、別途形成された鏡体を板状基体の鏡装着凹部に嵌め込むことによって、確実な外れ止め状態で板状基体の板状蓋体に対する対向面に多くとも面一で鏡面を形成させることができる。従って、板状基体と板状蓋体との各対向面が互いに当接し合った状態で板状蓋体によって鏡面を閉止することができ、鏡面が閉じられた状態の携帯用化粧鏡装置の見栄えをよくすることができる。
【００１９】
請求項４記載の考案は、請求項１乃至３のいずれかに記載の考案において、前記装飾片は、前記板状蓋体の外面側に凹設された所定形状の凹部に他の材料が埋め込まれることによって形成されていることを特徴とするものである。
【００２０】
かかる構成によれば、板状蓋体の外面側にデザイン性に富んだ所定形状の凹部を形成させ、当該凹部に他の材料を嵌め込むことで、板状蓋体の外面側にデザイン性に富んだ模様が形成され、これによって携帯用化粧鏡装置を興趣に富んだものにすることができる。
【考案の効果】
【００２１】
本考案に係る携帯用化粧鏡装置によれば、板状蓋体を同一平面上でスライド移動させることにより、板状基体の鏡面を片手で容易に開閉し得るようにすることができるため、空いた方の手で化粧動作等の他の動作を並行的に行うことができ、結果として携帯用化粧鏡装置を用いた化粧作業等の作業性を大幅に向上させることができる。
【図面の簡単な説明】
【００２２】
【図１】本考案に係る携帯用化粧鏡装置の第１実施形態を示す分解斜視図である。
【図２】図１に示す携帯用化粧鏡装置の組み立て斜視図である。
【図３】携帯用化粧鏡装置の作用を説明するための説明図であり、（Ａ）は、手の平と４本の指で板状基体を把持しつつ親指で板状蓋体を開放しつつある状態、（Ｂ）は、板状蓋体が開放された状態をそれぞれ示している。
【図４】携帯用化粧鏡装置の作用を説明するための説明図であり、片手で板状蓋体を閉じつつある状態を示している。
【図５】第２実施形態に係る携帯用化粧鏡装置を示す分解斜視図である。
【図６】図５に示す携帯用化粧鏡装置の組み立て斜視図であり、（Ａ）は、板状基体の方形鏡体が板状蓋体によって閉止された状態、（Ｂ）は、方形鏡体が開放された状態をそれぞれ示している。
【図７】（Ａ）〜（Ｆ）に外観形状が図１〜図６のものと異なる他の実施形態の携帯用化粧鏡装置を示している。
【考案を実施するための形態】
【００２３】
図１は、本考案に係る携帯用化粧鏡装置１０の第１実施形態を示す分解斜視図であり、図２は、その組み立て斜視図である。なお、図１および図２において、Ｘ方向を左右方向、Ｙ方向を前後方法といい、特に−Ｘを左方、＋Ｘを右方、−Ｙを前方、＋Ｙを後方という。
【００２４】
まず、図１に示すように、本実施形態に係る携帯用化粧鏡装置１０は、平面視で輪郭線がピアノの形状を模した板状基体２０と、この板状基体２０の上面側に積層される円形鏡体３０と、平面視で板状基体２０と同一のピアノ形状を呈した板状蓋体４０と、この板状蓋体４０の上面に付設される装飾片５０と、前記板状基体２０および前記板状蓋体４０を同一平面上で互いに相対回動可能に連結するための鳩目軸（軸部材、スライド構造）６０とを備えた基本構成を有している。
【００２５】
前記板状基体２０は、その輪郭がグランドピアノを前方右寄りの位置から見た状態を二次元平面上に立体的に示した形状に設定されている。かかる板状基体２０には、その中央部を略全体的に占めるように凹設された鏡装着凹部２１が凹設されている。この鏡装着凹部２１に接着剤を介して前記円形鏡体３０が嵌め込まれる。
【００２６】
また、板状基体２０には、右側後方の縁部の適所から外方へ向かって膨設された基体側膨設片２２が設けられている。この基体側膨設片２２には、前記鳩目軸６０を挿通させるための基体側貫通孔２３が穿設されている。
【００２７】
このような板状基体２０は、平面視の大きさが成人の手の平の大きさより若干小さめに寸法設定され、これによって当該板状基体２０を手の平内に納めることができるようになっている。かかる板状基体２０は、本実施形態においては、強靱で保形性に優れ、かつ、比較的に安価なアクリル、ポリプロピレンまたはポリカーボネートなどであって、黒色に彩色されたものが採用されている。
【００２８】
前記円形鏡体３０は、板状基体２０の鏡装着凹部２１に密着状態で嵌り込み得るように径寸法が設定されている。また、円形鏡体３０の厚み寸法は、鏡装着凹部２１の穴深さよりわずかに薄めに設定されている。従って、円形鏡体３０が接着剤（両面テープを含む）を介して鏡装着凹部２１に嵌め込まれた状態で、その鏡面３１は、板状基体２０の上面と略面一になるか、あるいは僅かに窪んだ状態になる。
【００２９】
前記板状蓋体４０は、本実施形態においては、平面視で板状基体２０と略同一形状に設定された板状の蓋体本体４１と、この蓋体本体４１の前方に接着状態で積層される左右方向に長尺の鍵盤を模した疑似鍵盤プレート４２と、前記蓋体本体４１における前記疑似鍵盤プレート４２より後方に接着状態で積層される、当該蓋体本体４１のその部分と同一形状の積層プレート４３とを備えている。疑似鍵盤プレート４２および積層プレート４３の蓋体本体４１への接着は、両者４２，４３がアクリルによって形成されている場合、アクリル系の合成樹脂を所定の溶剤で溶融させた接着剤を介して行われる。
【００３０】
前記疑似鍵盤プレート４２には、実際のピアノの鍵盤を模して黒鍵部分と白鍵部分とが形成されている。
【００３１】
かかる蓋体本体４１、疑似鍵盤プレート４２および積層プレート４３は、いずれもアクリル系の合成樹脂によって形成されることが好ましい。アクリル系の樹脂は、加工性に優れているとともに、鮮明な着色状態を現出させることが可能であるため、色彩的な見栄えが良好になるからである。
【００３２】
本実施形態においては、蓋体本体４１および積層プレート４３は、全体的に黒色に彩色されている。これに対し疑似鍵盤プレート４２は、地色が白色に設定されている。蓋体本体４１および積層プレート４３の黒色については、原料である固化前の原料の液状アクリル系の樹脂に黒色の色素（具体的には黒色顔料である微粉状のカーボンブラック）が混入されることによって彩色されている。
【００３３】
これら蓋体本体４１，疑似鍵盤プレート４２および積層プレート４３には、後述する他の部材を埋め込むことによってそれぞれ所定の模様を形成させるための模様形成用凹部（所定形状の凹部）４４が凹設されている。
【００３４】
蓋体本体４１には、複数本の直線状装飾用溝４４１と複数個の円穴４４２とが設けられている。直線状装飾用溝４４１は、模様形成用凹部４４の一部であり、疑似鍵盤プレート４２の設置エリアに直線状の模様を施すためのものである。また、円穴４４２は、後述の模擬ダイヤモンド５２を嵌め込むためのものであり、疑似鍵盤プレート４２と積層プレート４３との間の隙間の位置における左右方向の中央部に３穴が左右へ向けて並設されている。
【００３５】
また、疑似鍵盤プレート４２には、黒鍵を示すとともに隣接する白鍵間を仕切る鍵盤明示用溝４４３が凹設されている。
【００３６】
さらに、積層プレート４３には、楽譜用の記号をデザイン的に示す複数の楽譜記号用溝４４４と、疑似ダイヤモンド５２を嵌め込むための複数の円穴４４５とが凹設されている。円穴４４５は、複数が積層プレート４３の上面に散りばめられている。
【００３７】
前記装飾片５０は、板状蓋体４０に凹設された前記模様形成用凹部４４に埋め込まれるものであり、本実施形態においては、常温で液状を呈するエポキシ樹脂製の２液式の接着剤（他の部材）５１が固化したもの、およびガラス製の模擬ダイヤモンド（他の部材）５２が採用されている。
【００３８】
前記蓋体本体４１に凹設された直線状装飾用溝４４１には、固化前の液状のエポキシ系の接着剤５１に白色の顔料（例えば亜鉛華）が混入されたものが採用される。この白色混合物が直線状装飾用溝４４１に例えば注射器７０等を用いて注入されることにより直線状装飾用溝４４１用の装飾片５０が形成される。なお、接着剤５１が固化した後に、蓋体本体４１の表面が研磨され、当該表面が鏡面状態とされる。
【００３９】
また、蓋体本体４１側の前記円穴４４２には、模擬ダイヤモンド５２が所定の接着剤を介して嵌め込まれる。これによって疑似鍵盤プレート４２の周りがきらびやかになる。
【００４０】
前記疑似鍵盤プレート４２に凹設された鍵盤明示用溝４４３には、固化前の液状のエポキシ系の接着剤５１に黒色の顔料（例えばカーボンブラック）が混入されたものが採用され、この黒色の接着剤５１が疑似鍵盤プレート４２の鍵盤明示用溝４４３に前記同様にして注射器７０を介して注入されることにより、当該疑似鍵盤プレート４２に黒鍵および隣接した白鍵間の仕切りが形成される。なお、この場合も接着剤５１が固化した後に、疑似鍵盤プレート４２の表面が鏡面になるように研磨される。
【００４１】
前記積層プレート４３に凹設された楽譜記号用溝４４４には、固化前の液状のエポキシ系の接着剤５１に金粉あるいは銀粉または金箔あるいは銀箔を細かく裁断したものが混入されたものが採用され、この金色または銀色の接着剤５１が積層プレート４３の楽譜記号用溝４４４に前記同様にして注入されることにより、当該積層プレート４３に複数の楽譜を模した装飾片５０が形成される。なお、この場合も接着剤５１が固化した後に、積層プレート４３の表面が鏡面になるように研磨される。
【００４２】
また、積層プレート４３の前記各円穴４４５には、模擬ダイヤモンド５２が所定の接着剤を介して嵌め込まれる。これによって積層プレート４３の上面がきらびやかになる。
【００４３】
このような板状蓋体４０には、蓋体本体４１における前記板状基体２０の基体側膨設片２２に対応した位置に蓋体側膨設片４５が設けられているとともに、この蓋体側膨設片４５に前記基体側貫通孔２３に対応した蓋体側貫通孔４６が穿設されている。
【００４４】
そして、円形鏡体３０が装着された板状基体２０の鏡面３１上に、それぞれ前記のように装飾片５０によって装飾された蓋本体４１、疑似鍵盤プレート４２および積層プレート４３からなる板状蓋体４０が積層された状態で、基体側膨設片２２に穿設された基体側貫通孔２３および蓋体側膨設片４５に穿設された蓋体側貫通孔４６に前記鳩目軸６０が差し通され、当該鳩目軸６０の端部が所定の工具でかしめ止めされることによって、図２に示すように板状基体２０が組み立てられる。
【００４５】
因みに、図２においては、基体側および蓋体側貫通孔２３，４６に差し通された鳩目軸６０にストラップ８０が挿通され、これによって携帯用化粧鏡装置１０は、当該ストラップ８０を介して携帯電話等の他の部材に装着し得るようになっている。
【００４６】
以下、図３および図４を基に携帯用化粧鏡装置１０の作用について説明する。図３および図４は、携帯用化粧鏡装置１０の作用を説明するための説明図であり、図３は、片手での板状蓋体４０の開放操作を示し、図３（Ａ）は、手の平と４本の指で板状基体２０を把持しつつ親指で板状蓋体４０を開放しつつある状態、図３（Ｂ）は、板状蓋体４０が開放された状態をそれぞれ示している。また、図４は、片手で板状蓋体４０を閉じつつある状態を示している。なお、図３および図４におけるＸおよびＹによる方向表示は、図１の場合と同様（−Ｘ：左方、＋Ｘ：右方、−Ｙ：前方、＋Ｙ：後方）である。
【００４７】
携帯用化粧鏡装置１０の板状蓋体４０を開放するに際しては、まず、板状蓋体４０を上側にした状態で携帯用化粧鏡装置１０を片方（図３に示す例では左方）の手の平上に載置する。引き続き、図３（Ａ）に示すように、人差し指〜小指の４本の指と手の平の肉球との間で板状基体２０を挟んだ状態で、親指を板状蓋体４０の左前方の縁部に押し当て、引き続き親指で当該縁部を後方へ向けて押圧する。そうすると、板状蓋体４０は、鳩目軸６０回りに時計方向に向けて回動し、これによって円形鏡体３０が次第に開放されていく。
【００４８】
そして、板状蓋体４０を鳩目軸６０回りに略１２０°回動させることにより、円形鏡体３０は、その鏡面３１が全体的に外部へ露出した状態になる。この状態で使用者は、自身の顔面などを鏡面３１に映して当該携帯用化粧鏡装置１０を化粧の用に供することができる。
【００４９】
ついで、一旦開放した板状蓋体４０を閉じるときには、図４に示すように、開いた状態の板状蓋体４０の後方縁部を人差し指〜小指の４本の指で押えて前方へ向けて押圧すればよい。こうすることによって、板状蓋体４０は、鳩目軸６０回りに反時計方向に向けて回動し、これにより板状蓋体４０を片手で容易に閉止することができる。
【００５０】
以上詳述したように、本実施形態に係る携帯用化粧鏡装置１０は、手の平に納まるように寸法設定された板状基体２０と、この板状基体２０に開閉可能に積層される当該板状基体２０と略同一形状の板状蓋体４０とを備えてなる基本構成を有している。
【００５１】
そして、板状基体２０には、板状蓋体４０との対向面に円形鏡体３０の鏡面３１が形成されているとともに、板状蓋体４０を板状基体２０の鏡面３１に対し回動しながらスライド状態で開閉させ得るスライド構造としての鳩目軸６０が備えられているため、携帯用化粧鏡装置１０を片方の手の平上で把持し、片手の指の操作で板状蓋体４０を鳩目軸６０回りに正逆回動させることによって鏡面３１を開閉することができる。
【００５２】
従って、従来のように板状蓋体４０を板状基体２０の対向面に直交する方向に向けて回動操作することで開閉させる場合には、片手での開閉操作が困難であり、図らずも両手を使ってしまって不便なることがあるが、本考案ではこのような不便が生じることはなく、従って、空いた方の手で他の化粧動作等を並行的に行うことができ、結果として携帯用化粧鏡装置１０を用いた化粧作業の作業性を向上させることができる。
【００５３】
また、スライド構造を鳩目軸６０により構成することで、当該スライド構造を極めて簡単で安価なものにした上で板状蓋体４０の容易な開閉操作を実現させることができる。
【００５４】
さらに、板状蓋体４０には、板状基体２０との対向面と反対側の外面側に各種の装飾片５０が付設されているため、当該携帯用化粧鏡装置１０をデザイン的に優れたおしゃれなものにすることができる。
【００５５】
また、本実施形態においては、円形鏡体３０は、板状基体２０の板状蓋体４０との対向面に凹設された鏡装着凹部２１に嵌め込まれ、これによって鏡面３１が板状基体２０の上面と多くとも面一状態にすることができるため、当該円形鏡体３０を外れ止め状態で確実に板状基体２０に装着することができる。また、板状蓋体４０を閉じた状態で板状基体２０と板状蓋体４０との各対向面間を隙間のない互いに当接し合った状態にすることができるため、この状態の携帯用化粧鏡装置１０を見苦しくないようにすることができる。
【００５６】
さらに、装飾片５０は、板状蓋体４０の外面側に凹設された所定形状の凹部（直線状装飾用溝４４１、円穴４４２，４４５、鍵盤明示用溝４４３および楽譜記号用溝４４４）に他の材料（金粉や銀粉等が混入された接着剤５１および模擬ダイヤモンド５２）が埋め込まれることによって形成されているため、携帯用化粧鏡装置１０をデザイン性が豊かで興趣に富んだものにすることができる。
【００５７】
本考案は、上記の実施形態に限定されるものではなく、以下の内容をも包含するものである。
【００５８】
（１）上記の実施形態においては、板状基体２０の板状蓋体４０との対向面に形成された鏡面３１は、板状基体２０に凹設された鏡装着凹部に嵌め込まれることによって形成されているが、こうする代わりに、板状基体２０の板状蓋体４０との対向面そのものに対し金属の蒸着処理を施し、これにより鏡面３１を形成させてもよい。
【００５９】
（２）上記の実施形態においては、積層された板状基体２０および板状蓋体４０に貫通されて両者を互いに相対回動可能に軸支する鳩目軸６０によって本考案に係るスライド構造が構成され、板状蓋体４０を鳩目軸６０回りに正逆回動することで円形鏡体３０の鏡面３１を開閉させるようになされているが、こうする代わりに第２実施形態として図５および図６を基に以下説明するように、板状蓋体４０′を直線状にスライドさせることによって鏡面３１を開閉させるようにしてもよい。
【００６０】
図５は、第２実施形態に係る携帯用化粧鏡装置１０′を示す分解斜視図である。また、図６は、その組み立て斜視図であり、図６（Ａ）は、板状基体２０′の方形鏡体３０′が板状蓋体４０′によって閉止された状態、図６（Ｂ）は、方形鏡体３０′が開放された状態をそれぞれ示している。なお、図５および図６におけるＸおよびＹによる方向表示は、図１の場合と同様（−Ｘ：左方、＋Ｘ：右方、−Ｙ：前方、＋Ｙ：後方）である。
【００６１】
まず、図５に示すように、第２実施形態の携帯用化粧鏡装置１０′は、互いに平行に前後方向へ延びた一対のガイドレール２４を有する板状基体２０′と、この板状基体２０′の略中央部に若干前方寄りに鏡面状態で設けられた方形鏡体３０′と、かかる方形鏡体３０′を有する板状基体２０′上で前後方向へスライドし得るように積層された板状蓋体４０′とを備えて構成されている。
【００６２】
前記一対のガイドレール２４は、前記板状蓋体４０′を前後動可能にガイドするためのものであり、前記方形鏡体３０′を挟んだ状態で当該方形鏡体３０′の左右の位置に前後方向に延びた状態で設けられている。かかる各ガイドレール２４は、前方から見た端面視で上部の左右寸法が下部の左右寸法より大きい、いわゆる逆台形状に設定されている。
【００６３】
そして、板状基体２０′における各ガイドレール２４の前端より前方位置には、板状蓋体４０′の前方へ向かう移動を阻止するためのストッパー片２５がそれぞれ設けられている。
【００６４】
前記板状蓋体４０′は、蓋体本体４１′の上面の前方位置に疑似鍵盤プレート４２が積層されている点、蓋体本体４１′の上面の後方位置に積層プレート４３が積層されている点については、先の第１実施形態のものと同様である。
【００６５】
しかしながら、第２実施形態の板状蓋体４０′においては、蓋体本体４１′が第１実施形態の蓋体本体４１より若干厚めに設定されている点、および蓋体本体４１′の裏面側の前記各ガイドレール２４に対応した位置に、当該ガイドレール２４に外嵌されて案内される被ガイド溝４７がそれぞれ凹設されている点が第１実施形態のものとは相違している。
【００６６】
そして、前記各被ガイド溝４７は、ガイドレール２４に対応させるべく前方から見た端面視で逆台形状に設定された、いわゆる蟻溝状とされている。従って、被ガイド溝４７がガイドレール２４の後端から当該ガイドレール２４に嵌め込まれることにより、板状蓋体４０′は、図６に示すように、外れ止め状態で前後方向に向けてスライド可能に板状基体２０′に装着されることになる。
【００６７】
第２実施形態においては、本考案に係るスライド構造によれば、板状基体２０′に形成された左右一対のガイドレール２４と、板状蓋体４０′に前記一対のガイドレール２４に対応して形成され、これら一対のガイドレール２４に摺接状態で外嵌される蟻溝状の左右一対の被ガイド溝４７とによって構成されている。
【００６８】
このような第２実施形態に係る携帯用化粧鏡装置１０′は、普段、図６（Ａ）に示すように、板状蓋体４０′が板状基体２０′の前端にまで押し込まれ、これによって鏡面３１が板状蓋体４０′により閉じられた状態とされている。
【００６９】
そして、化粧やその他の目的のために鏡面３１が利用されるときは、片手で板状基体２０′を把持した状態でその親指で板状蓋体４０′が後方に向かって押圧される。これによって板状蓋体４０′は、ガイドレール２４に案内されつつ後方へ移動し、図６（Ｂ）に示すように、鏡面３１が開放されるため、使用者は当該鏡面３１に目的物を映すことができる。
【００７０】
（３）上記の実施形態においては、携帯用化粧鏡装置１０，１０′は、いずれもピアノの形状が模されているが、本考案は、携帯用化粧鏡装置１０，１０′がピアノ形状であることに限定されるものではなく、各種の形状に設定することができる。
【００７１】
図７には、その例として（Ａ）〜（Ｆ）に示すようなものを例示したが、板状基体２０，２０′と板状蓋体４０，４０′とが互いに同一平面上でスライド可能に連結されているという基本的な構成が確保されている限り、本考案に係る携帯用化粧鏡装置であるということができる。
【００７２】
因みに、図７（Ａ）に示す携帯用化粧鏡装置は、雲の形状を模したものであり、図７（Ｂ）に示す携帯用化粧鏡装置１０，１０′は、スミレの花の形状を模したものであり、図７（Ｃ）に示す携帯用化粧鏡装置１０，１０′は、バラの花の形状を模したものであり、図７（Ｄ）に示す携帯用化粧鏡装置１０，１０′は、蝶々の形状を模したものであり、図７（Ｅ）に示す携帯用化粧鏡装置１０，１０′は、梅の花の形状を模したものであり、図７（Ｆ）に示す携帯用化粧鏡装置１０，１０′は、イチゴのショートケーキの形状を模したものである。
【符号の説明】
【００７３】
１０，１０′  携帯用化粧鏡装置          ２０，２０′  板状基体
２１  鏡装着凹部                        ２２  基体側膨設片
２３  基体側貫通孔                      ２４  ガイドレール（スライド構造）
２５  ストッパー片                      ３０  円形鏡体
３０′  方形鏡体                        ３１  鏡面
４０、４０′  板状蓋体                  ４１、４１′  蓋体本体
４２  疑似鍵盤プレート                  ４３  積層プレート
４４  模様形成用凹部（所定形状の凹部）  ４４１  直線状装飾用溝
４４２  円穴                            ４４３  鍵盤明示用溝
４４４  楽譜記号用溝                    ４４５  円穴
４５  蓋体側膨設片                      ４６  蓋体側貫通孔
４７  被ガイド溝（スライド構造）        ５０  装飾片
５１  接着剤（他の材料）                ５２  模擬ダイヤモンド（他の部材）
６０  鳩目軸（軸部材、スライド構造）    ７０  注射器
８０  ストラップ
【図１】
0003157220.tif 000003
【図２】
0003157220.tif 000004
【図３】
0003157220.tif 000005
【図４】
0003157220.tif 000006
【図５】
0003157220.tif 000007
【図６】
0003157220.tif 000008
【図７】
0003157220.tif 000009